(57)【要約】      （修正有）【課題】気送子を用いた気送装置の取出側が金庫となっているシステムにおいて、気送子の円滑な搬送及び安全確実な貯留を実現するために、取出側に排出される気流を逃がす方法及び一端取出側に排出された気送子の再移動を防止する構成を、気送子そのものの構成も含めて提供する。【解決手段】投入側と取出側にセンサＳ１、Ｓ２を有し、排気孔１１付きの吸引装置１が設けられ、複数の小孔付きの排出端部２１が下方を向き拡径され、その上方には複数の小孔付きの吸気管２２が接続され、複数の突起が植設された有孔隔壁４が張設され、取出室Ｃ２の床面は磁力を有し、中央に分配用突起が突設され、気送子３が鉄製の吸着子３ｃを有して気送装置付金庫を構成する。【選択図】図１
0003167658.tif 000002
【実用新案登録請求の範囲】
【請求項１】
気送装置の取出側が金庫として構成されている気送装置付金庫であっ
て、搬送管の投入側に気送子が投入されたことを検知する投入側センサが設けられ、搬送管の取出側に気送子が通過したことを検知する取出側センサが設けられ、
搬送管の取出側に設けられた金庫が、機械室と取出室から構成されて
おり、機械室には吸引装置が設けられており、吸引装置には排気孔が設けられて吸引装置と外気を連結しており、
搬送管は気送子を排出する排出端部が金庫の取出室に迄延伸されてい
て、排出端部は下方を向き拡径され、複数の小孔が穿設されており、
排出端部の上方には複数の小孔を有する吸気管が接続されていて該吸
気管は吸引装置に接続されており、
排出端部の上方と吸気管の間にはグリッドとフィルタが設けられてお
り、
排出端部の周囲には複数の小孔を有する有孔隔壁が張設されており、
該有孔隔壁には下向きに複数の突起が植設されており、複数の突起は異なる長さのものが組み合わされており、
取出室の床面は磁力を有しており、該床面の排出端部下方に当たる
部分には、側面視が茸状の分配用突起が突設されており、
気送子は円筒形状で、一端部は丸められ該端部の中央に平坦部を持つ鉄製の吸着子を有しており、
金庫の取出室と機械室は共に外壁と耐火壁と防音壁を有しており、
金庫全体が金庫を載置する部屋の床に固着手段によって固着されている、
ことを特長とする気送装置付金庫。
【考案の詳細な説明】
【技術分野】
【０００１】
本考案は、気送装置の付いた金庫に関するものであり、さらに詳しく
は、
気送装置の取出側が金庫として構成されている気送装置付金庫であっ
て、搬送管の投入側に気送子が投入されたことを検知する投入側センサが設けられ、搬送管の取出側に気送子が通過したことを検知する取出側センサが設けられ、
搬送管の取出側に設けられた金庫が、機械室と取出室から構成されて
おり、機械室には吸引装置が設けられており、吸引装置には排気孔が設けられて吸引装置と外気を連結しており、
搬送管は気送子を排出する排出端部が金庫の取出室に迄延伸されてい
て、排出端部は下方を向き拡径され、複数の小孔が穿設されており、
排出端部の上方には複数の小孔を有する吸気管が接続されていて該吸
気管は吸引装置に接続されており、
排出端部の上方と吸気管の間にはグリッドとフィルタが設けられてお
り、
排出端部の周囲には複数の小孔を有する有孔隔壁が張設されており、
該有孔隔壁には下向きに複数の突起が植設されており、複数の突起は異なる長さのものが組み合わされており、
取出室の床面は磁力を有しており、該床面の排出端部下方に当たる
部分には、側面視が茸状の分配用突起が突設されており、
気送子は円筒形状で、一端部は丸められ該端部の中央に平坦部を持つ鉄製の吸着子を有しており、
金庫の取出室と機械室は共に外壁と耐火壁と防音壁を有しており、
金庫全体が金庫を載置する部屋の床に固着手段によって固着されている、
ことを特長とする気送装置付金庫。
【背景技術】
【０００２】
コンビニエンスストアや遊戯店、外食店など、レジに多額の現金が
貯留される可能性のある店舗にては、強盗の被害に会うケースが多く、場合によっては傷害事件や殺人事件にまで至っている。特に、夜間も営業していて、少数のスタッフしか店舗に配されていないコンビニエンスストアや外食店の危険性は高く、凶悪犯罪からこれらの店舗のスタッフと売上金を護るシステムの開発が喫緊の課題となっている。
【０００３】
コンビニエンスストアや外食店等が襲撃の対象となる原因の一つとして、レジに多額の現金が貯留される可能性があることが挙げられる。すなわち、コンビニエンスストアや外食店等においては、レジに貯留された現金は一日数回、少ない場合には一回程度しか回収されない。店長あるいはオーナーが現金を回収して銀行に預け入れるのであるが、その回数は多くはなく、売上の多い時にはかなりの額の現金がレジに貯留されている可能性がある。特に夜間は長時間現金がレジに貯留されたままになりやすい。したがって、襲撃犯はそのような時間帯を狙って犯行に及ぶのである。
【０００４】
これを解決するためには、レジに常に現金がないか、あるいはあってもごく僅かであるという状態を実現すればよい。即ち、レジに現金がない場合には、襲撃犯もわざわざ危険を冒すことは好まないから襲撃される確率は低下する。しかしながら、レジから現金を頻繁に回収して銀行なり夜間金庫なりに運搬する手間も大変であるし、銀行や夜間金庫から遠いロケーションの店では物理的に困難がある。
【０００５】
従って、レジにある程度現金が貯留されればすぐに金庫に格納されるシステムが必要である。金庫の鍵は店のスタッフは持っておらず、オーナーかチェーン店の担当職員しか金庫が開けられないシステムにしておけば、犯人も金庫が開けられない以上、諦めるしかない。
【０００６】
要するに、金庫への入金には鍵が不要であり、出金の際には鍵が必要であるというシステムを構築する必要がある。ここで参考となるのが、下記特許文献１〜３に記載の発明であった。即ち、下記特許文献１〜３には紙幣を気送装置によって搬送するシステムが開示されている。したがって、レジに紙幣が貯留される度に気送装置によって金庫に搬送すれば、レジには小額のコインが残されるだけになる。
【０００７】
下記特許文献１〜３の発明においては、紙幣をそのまま搬送管に投入するシステムであり、搬送中に紙幣が搬送管の内壁に貼りつく等の搬送トラブルを回避するために様々な工夫をしている。例えば、下記特許文献１においては搬送管の途中に適宜ノズルを設けて圧力をかけることにより円滑な搬送を実現するとしているし、下記特許文献２、３においては搬送管の内壁にリムを突設させ、さらには紙幣自体の一端部をカールさせたりして内壁への紙幣の貼り付きを防止している。
【０００８】
しかしながら、搬送管の途中にノズルやリムを設けると徒に機構が複雑になり、一店舗当たりの資本力の小さなコンビニエンスストアなどでは装置の導入そのものが不可能となってしまう。また、いくら搬送管に工夫を重ねても、紙幣を裸のままで投入すると、紙幣によっては各種の「折り癖」によって円滑な搬送が妨げられる可能性が高い。さらには、下記特許文献２、３のように紙幣の一端をカールさせるなど、紙幣そのものの形状に好ましくない加工を加えなければ円滑な搬送ができないということでは、実際の使用には不向きである。
【０００９】
ここで、さらに参考になるのが、「気送子」と呼ばれるカプセルを用いた搬送方法であって、カプセルに紙幣を封入して搬送すれば、上記の問題は全て解決する。さらには、カプセルならばコインや伝票類も入れられるので応用範囲が広くなる。無論、搬送管に無用な細工をしたり、紙幣の形状を損なうような加工も必要なく、そのままの形状で円滑に搬送が可能である。
【００１０】
気送子を用いた搬送方法は様々なものが開示されているが、その一部を下記特許文献４〜６に示す。しかしながら、気送子を用いた搬送方法において、取出側が密閉された金庫の場合、空気圧が金庫内部から抜けないので、円滑な搬送のためには様々な工夫が必要となる。しかしながら、その点を詳細に開示した文献は発見できなかった。
【先行技術文献】
【特許文献】
【００１１】
【特許文献１】特開２００１−１４８０４５号公報
【特許文献２】特開２００９−１３２５３７号公報
【特許文献３】特開２００９−４６３１２号公報
【特許文献４】特開平１−１１０４２６号公報
【特許文献５】特開２００１−３０１９６４号公報
【特許文献５】特開２００９−７３６２２号公報
【考案の概要】
【考案が解決しようとする課題】
【００１２】
上記より、本考案が解決しようとする課題は、次のとおりとなる。
＜課題１＞
気送子を用いた気送装置の取出側が金庫となっているシステムにおいて、気送子の円滑な搬送及び安全確実な貯留を実現する。
＜課題２＞
まず、取出側が金庫であって密閉状態であるので、取出側が大気中に暴露されている通常の気送装置の取出側とは全く異なった設計が必要となる。すなわち、投入側で加圧するにしても取出側で吸引するにしても、あるいは管路途中で加圧なり吸引なりをするにしても、取出側に排出される気流を金庫を開くことなく巧みに逃がす方法を考えなければならない。
＜課題３＞
また、気流を逃がす方法が解決されても、一端取出側に排出された気送子が、排出される気流に乗って再移動すると困る。即ち、一端取出側に排出された気送子は、取出側の金庫内で固定されて再移動ができないようにするための構成を考えなければならない。
＜課題４＞
上記構成は、取出側の金庫内の構成と共に、気送子そのものの構成にも及ぶ可能性がある。
【課題を解決するための手段】
【００１３】
本考案は、上記課題を解決するためになされたものであり、以下に示す解決手段を提供する。
気送装置の取出側が金庫として構成されている気送装置付金庫であっ
て、搬送管の投入側に気送子が投入されたことを検知する投入側センサが設けられ、搬送管の取出側に気送子が通過したことを検知する取出側センサが設けられ、
搬送管の取出側に設けられた金庫が、機械室と取出室から構成されて
おり、機械室には吸引装置が設けられており、吸引装置には排気孔が設けられて吸引装置と外気を連結しており、
搬送管は気送子を排出する排出端部が金庫の取出室に迄延伸されてい
て、排出端部は下方を向き拡径され、複数の小孔が穿設されており、
排出端部の上方には複数の小孔を有する吸気管が接続されていて該吸
気管は吸引装置に接続されており、
排出端部の上方と吸気管の間にはグリッドとフィルタが設けられてお
り、
排出端部の周囲には複数の小孔を有する有孔隔壁が張設されており、
該有孔隔壁には下向きに複数の突起が植設されており、複数の突起は異なる長さのものが組み合わされており、
取出室の床面は磁力を有しており、該床面の排出端部下方に当たる
部分には、側面視が茸状の分配用突起が突設されており、
気送子は円筒形状で、一端部は丸められ該端部の中央に平坦部を持つ鉄製の吸着子を有しており、
金庫の取出室と機械室は共に外壁と耐火壁と防音壁を有しており、
金庫全体が金庫を載置する部屋の床に固着手段によって固着されている、
ことを特長とする気送装置付金庫。
【考案の効果】
【００１４】
本考案の気送装置付金庫は、気送装置の取出側が金庫として構成されているので、投入側で投入された現金類は金庫の扉を開閉することなく金庫内に収容される。したがって、レジには常に現金を余り置かない状態が実現できるし、またレジから金庫に現金を運ぶ必要もなく、金庫に現金を収容する際にも金庫の扉を開閉する必要がないので、極めて安全である。すなわち、現金の貯留と移動に伴うリスクが全て回避される。
【００１５】
本考案の気送装置付金庫は、搬送管の投入側に気送子が投入されことを検知する投入側センサが設けられ、搬送管の取出側に気送子が通過したことを検知する取出側センサが設けられているので、吸引装置は気送子の投入と同時にスイッチが入って搬送状態となり、気送子の金庫収容と同時にスイッチが切れて搬送状態が解除される。したがって極めて合理的且つ省電力であり、また、気送子の金庫への収容が円滑に行われる。即ち、気送子が金庫に入ると同時にスイッチが切れて気送装置の搬送力が失われるので、気送子は自由落下で円滑に金庫内に収容される。
【００１６】
本考案の気送装置付金庫は、搬送管の取出側に設けられた金庫が、機
械室と取出室から構成されており、機械室には吸引装置が設けられており、吸引装置には排気口が設けられて吸引装置と外気を連結しているので、搬送された気送子は吸引装置とはまったく別の取出室に収容される。したがって、気送子を金庫から取出す際には、通常の金庫と全く同様の扱いが可能である。
【００１７】
本考案の気送装置付金庫は、搬送管は気送子を排出する排出端部が金
庫の取出室に迄延伸されていて、排出端部は下方を向き拡径され、複数の小孔が穿設されているので、気送子を取出室内に確実に落下させることができる。即ち、排出端部にまで搬送させられた気送子は、その時点で吸引装置のスイッチがオフになるので、排出端部から取出室内に自由落下するのであるが、この際、排出端部が拡径されているので、自由落下がより円滑に行われる。また、万一気送装置のスイッチがオフになるのが遅れた場合でも、排出端部が拡径され複数の小孔が穿設されているので、この部分で圧力が低下し、気送子は取出室に落下しやすくなるように構成されている。
【００１８】
本考案の気送装置付金庫は、排出端部の上方には複数の小孔を有する
吸気管が接続されていて該吸気管は吸引装置に接続されているので、気流は円滑に吸気管から吸引装置に吸い込まれていく。さらに、排出端部の上方に設けられた吸気管の複数の小孔の作用によって一部取出室中に排出された気流も吸気管から吸引装置に吸い込まれていくので、気送装置が円滑に作動することが保証される。すなわち、取出室中に排出された気流による障害は生じない。
【００１９】
本考案の気送装置付金庫は、排出端部の上方と吸気管の間にはグリッドとフィルタが設けられているので、万一気送子が吸気管の方に吸い込まれそうになったとしてもグリッドにてブロックされる。またフィルタの作用によって吸引装置に異物が吸引されることが防止される。
【００２０】
本考案の気送装置付金庫は、排出端部の周囲には複数の小孔を有する
有孔隔壁が張設されており、該有孔隔壁には下向きに複数の突起が植設されており、複数の突起は異なる長さのものが組み合わされているので、排出端部から一部取出室中に排出された気流は排出端部の周囲に張設された小孔を有する隔壁から吸気管の複数の小孔を通じて吸引装置に吸引される。
【００２１】
これにより、一旦取出室中に貯留された気送子が吸引装置の作用中に万一再吸引されたとしても該隔壁によりブロックされるので、吸気管の複数の小孔に吸引されて複数の小孔を塞ぐような事態が生じない。また、該隔壁には下向きに複数の突起が植設されており、気送子が該隔壁の複数の小孔を塞ぐような事態は起こりえない。また、複数の突起は異なる長さのものが組み合わされているので、気送子が突起と突起の間に咬みこまれてしまうような事態も起こらない。
【００２２】
本考案の気送装置付金庫は、取出室の床面は磁力を有しており、気送
子は円筒形状で、一端部は丸められ該端部の中央に平坦部を持つ鉄製の吸着子を有しているので、取出室に自由落下する気送子は鉄製の吸着子が取出室の床面に吸引されて吸着される。この際、鉄製の吸着子の平坦部が取出室の床面に隙間なく当接するように吸着されるので、気送子は安定的に吸着固着され、従って、次の気送子が搬送される際に取出室全体に吸引気流が発生しても、既に取出室の床面に吸着されている気送子が該気流によって吸い上げられることがない。
【００２３】
また、排出端部から自由落下される気送子は、該床面の排出端部の下方に当たる部分に突設された側面視が茸状の分配用突起に当たり、取出室の床面に広く分配される。さらには、万一取出室の床面に吸着されない状態の気送子があって、この気送子が再び気流で吸い上げられるようなことがあっても、排出端部の下方に突設された側面視が茸状の分配用突起の笠状部分が邪魔になって排出端部内にまで吸い上げられる事態は防止される。
【００２４】
本考案の気送装置付金庫は、金庫の取出室と機械室は共に外壁と耐火
壁と防音壁を有しているので、火災に強く、また気送子が取出室に自由落下する音も外部に洩れにくい。さらには金庫全体が金庫を載置する部屋の床に固着手段によって固着されているので、金庫全体を外部に運び出すことができず、盗難に対する安全性が高い。
【図面の簡単な説明】
【００２５】
【図１】（ａ）本考案の実施例１の気送装置付金庫の構成を説明するための概略の説明図であり、搬送管は一部を省略して示している。（ｂ）本考案の実施例１の気送装置付金庫の構成を説明するための概略の説明図であり、取出側の縦断面構成を示している。
【図２】（ａ）本考案の実施例１の気送装置付金庫の気送子の一例の正面図である。（ｂ）本考案の実施例１の気送装置付金庫の気送子の別の一例の正面図である。（ｃ）本考案の実施例１の気送装置付金庫の気送子のさらに別の一例の外観斜視図である。（ｄ）本考案の実施例１の気送装置付金庫の気送子のさらに別の一例の正面図である。
【図３】（ａ）本考案の実施例１の気送装置付金庫の気送子の作用を説明するための説明図である。（ｂ）本考案の実施例１の気送装置付金庫の気送子の作用を説明するための説明図である。（ｃ）本考案の実施例１の気送装置付金庫の気送子の作用を説明するための説明図である。
【図４】（ａ）本考案の実施例１の気送装置付金庫の隔壁の外観斜視図である。（ｂ）本考案の実施例１の気送装置付金庫の隔壁の作用を説明するための説明図である。（ｃ）本考案の実施例１の気送装置付金庫の隔壁の作用を説明するための説明図である。（ｄ）本考案の実施例１の気送装置付金庫の隔壁の作用を説明するための説明図である。（ｅ）本考案の実施例１の気送装置付金庫の隔壁の作用を説明するための説明図である。
【図５】（ａ）本考案の実施例１の気送装置付金庫の排出端部と吸気管の構成を説明するための説明図である。（ｂ）本考案の実施例１の気送装置付金庫の排出端部と吸気管の間に設けられるフィルタの構成を説明するための説明図である。（ｃ）本考案の実施例１の気送装置付金庫の排出端部と吸気管の間に設けられるグリッドの構成を説明するための説明図である。
【考案を実施するための形態】
【００２６】
本考案を実施するための形態を、図面を参照しながら詳細に説明する。
【実施例１】
【００２７】
＜実施例１の構成＞
本考案の実施例１の気送装置付金庫Ａは、気送装置ＡＳの取出側ＯＵＴが金庫Ｃとして構成されている。図１ａに見るように、気送装置ＡＳは吸引装置１と搬送管２から構成されているが、搬送管２の取出側ＯＵＴが金庫Ｃとして構成されている点が特徴である。
【００２８】
搬送管２の投入側ＩＮはどのような形態も取り得る。その構成は気送子３を投入できるものであればどのような構成でも良い。投入側ＩＮには気送子３が投入されたことを検知する投入側センサＳ１が設けられ、取出側ＯＵＴには気送子３が通過したことを検知する取出側センサＳ２が設けられている。
【００２９】
搬送管２の取出側ＯＵＴに設けられる金庫Ｃは機械室Ｃ１と取出室Ｃ２の２部分より構成されている。機械室Ｃ１、取出室Ｃ２は両方とも外壁Ｃａ（金属製）、耐火壁Ｃｂ（砂あるいはレンガ等の耐火物製）、防音壁Ｃｃ（発泡樹脂等）の３重構造となっており、Ｃｆは機械室Ｃ１と取出室Ｃ２を区切る隔壁である。また、取出室Ｃ２の床面５は磁力を有している。床面５の磁力は永久磁石によるものでも良いし、通電により磁性を帯びる電磁石によるものでも良い。なお、Ｃｄは内装ライニング、Ｃｅは脚である。金庫Ｃ全体は、脚Ｃｅを貫通する固着手段（図示しないが、一例としてボルトナット）によって床面ｆに固着されている。
【００３０】
機械室Ｃ１には吸引装置１が設置されている。吸引装置１はモータ（図示せず）を回転させて吸引力を発生させる方式でも良いし、あるいはポンプ（図示せず）やコンプレッサ（図示せず）を用いるタイプでも良い。あるいは、さらに別の方式でも構わない。搬送管２に投入された気送子３を取出側ＯＵＴまで吸引できる能力があれば、その構成は問わない。吸引装置１は隔壁Ｃｆに載置固着されており、上部には排気孔１１が装着されている。排気孔１１は、外壁Ｃａ、耐火壁Ｃｂ、防音壁Ｃｃ、内装ライニングＣｄを貫通して吸引装置１と外部空間を連結している。１１ａはフィルタである。排気孔１１は、図１ｂにては上向きに設けられているが、無論水平方向に設けられても構わない。
【００３１】
図１ｂにて、２１は金庫Ｃの取出室Ｃ２内部に延伸された搬送管２の取出側ＯＵＴに連接されている排出端部であり、排出端部２１は下方を向き拡径され、複数の小孔２１ｈ、２１ｈ、……が穿設されている。排出端部２１の直径は、気送子３が水平状態で排出端部２１に接触することなく落下できる程度のサイズである。
【００３２】
排出端部２１の上面には直径が搬送管２と略同一のサイズの吸気管２２が連接されている。吸気管２２は隔壁Ｃｆを貫通して吸引装置１に接続されている。吸気管２２にも複数の小孔２２ｈ、２２ｈ、……が穿設されている。また、排出端部２１と吸気管２２の間には、フィルタＦ、グリッドＧが設けられている。
【００３３】
図５ａに排出端部２１と吸気管２２の詳細を示す。搬送管２を通る気流α（図１ｂ参照）の殆どは吸気管２２を通って吸引装置１に吸い込まれるが、その途中でグリッドＧとフィルタＦを通過することとなる。フィルタＦは図５ｂに模式的に示すように円盤状で金属製であり、多数の小孔Ｆｈ、Ｆｈ、……が穿設されている。小孔Ｆｈの数は図５ｂに模式的に示すより実際は多く（従って直径は小さく）、吸引装置１に塵芥や異物が吸引されるのをブロックする。また、グリッドＧはやはり円盤状で硬質合成樹脂から成り、多数の板状の桟Ｇｃを有している。板状の桟Ｇｃは気送子３が吸気管２２に吸引されるのを防止するための構成である。なお、フィルタＦは金属製以外にも布製、あるいは合成樹脂製でも良い。また、グリッドＧは硬質合成樹脂以外製にも軟質合成樹脂製あるいは金属製あるいはゴム製でも良い。
【００３４】
図１ｂにて、４は排出端部２１の周囲に張設された金属製の有孔隔壁である。有孔隔壁４は排出端部２１から金庫Ｃの内装ライニングＣｄに至るまで水平状態にて張設されており、複数の小孔４１、４１、……を有している。また、有孔隔壁４の下面には複数の突起４２が下方に向けて突設されている。突起４２には長い突起４２ａと短い突起４２ｂの２種類があって、長い突起４２ａと短い突起４２ｂが図４ａに示す状態にて組み合わされて構成されている。図４ａの有孔隔壁４の中央の大孔４３には排出端部２１が嵌設される。
【００３５】
図１ｂにて、６は取出室Ｃ２の床面５の中央に突設された側面視が茸状の分配用突起である。分配用突起６は円錐形状の軸部６１と軸部６１の上に一体として連接されている笠部６２から構成されている。笠部６２は側面視が楕円状であり、全体が滑らかに構成されている。分配用突起６は表面が軟らかい合成樹脂あるいはゴムからできている。
【００３６】
気送子３は各種の構成を取り得るが、そのうちの４種を図２に示す。図２ａに示す気送子３１は硬質合成樹脂製のカプセルであって、本体３１ａと蓋体３１ｂより構成され、内部に空間３１Ｓを有している。本体３１ａと蓋体３１ｂは開閉自在であるが、図２ａに見る閉状態にては本体３１ａと蓋体３１ｂが固定状態になるように連結されている。連結手段としては、ねじ込み、あるいは嵌着等、開閉が自由にできて閉状態で連結が固定される手段であれば何でも構わない。気送子３１の本体３１ａの下部と蓋体３１ｂの上部は半球状に構成されていて、本体３１ａの最下端部に鉄製の吸着子３１ｃが固着されている。吸着子３１ｃの下面には平坦部ＦＬが設けられている。
【００３７】
図２ｂに示す気送子３２も硬質合成樹脂製のカプセルであって、本体３２ａと蓋体３２ｂより構成され、内部に空間３２Ｓを有している。本体３２ａと蓋体３２ｂは開閉自在であるが、図２ｂに見る閉状態にては本体３２ａと蓋体３２ｂが固定状態になるように連結されている。連結手段としては、気送子３１同様ねじ込み、あるいは嵌着等、開閉が自由にできて閉状態で連結が固定される手段であれば何でも構わない。気送子３２の蓋体３２ｂの上部は平坦に、本体３２ａの下部は半球状に構成されていて、本体３２ａの最下端部に鉄製の吸着子３２ｃが固着されている。吸着子３２ｃの下面には平坦部ＦＬが設けられている。
【００３８】
図２ｃに示す気送子３３は本体３３ａが軟質合成樹脂製あるいは布製あるいはゴム製の袋であって、下部に硬質合成樹脂製の半球状の端部３３ｂが連接固着され、内部に空間３３Ｓを有している。本体３３ａの上部にはチャック３３ｄが設けられ、チャック３３ｄを開けば空間３３Ｓに物品を収容できるようになっている。端部３３ｂの最下端部には鉄製の吸着子３３ｃが固着されており、吸着子３３ｃの下面には平坦部ＦＬが設けられている。
【００３９】
図２ｄに示す気送子３４は硬質合成樹脂製のカプセルであって、本体３４ａと蓋体３４ｂより構成され、内部に空間３４Ｓを有している。本体３４ａと蓋体３４ｂは開閉自在であるが、図２ｄに見る閉状態にては本体３４ａと蓋体３４ｂが固定状態になるように連結されている。連結手段としては、気送子３１、３２同様ねじ込み、あるいは嵌着等、開閉が自由にできて閉状態で連結が固定される手段であれば何でも構わない。気送子３４の蓋体３４ｂの上部、本体３４ａの下部は半球状に構成されていて、本体３４ａの最下端部に鉄製の吸着子３４ｃが固着されている。吸着子３４ｃの下面には平坦部ＦＬが設けられている。また、本体３４ａの上部には軟質合成樹脂製あるいは布製あるいはゴム製の蛇腹部ＢＬが設けられている。これは、搬送管２が屈曲している場合でも円滑に搬送が行われるための構成である。
【００４０】
＜実施例１の作用＞
本考案の実施例１の気送装置付金庫Ａの作用を以下に説明する。利用者（図示せず）は、気送子３に現金類（紙幣やコイン）を収容する。この際、現金だけではなく、伝票類も収容可能である。収容が終われば気送子３を搬送管２の投入側ＩＮ（図１ａ参照）に投入する。すると、投入側センサＳ１が気送子３の投入を感知して吸引装置１に信号を送り（信号ケーブルの図示は省略）吸引装置１はスイッチオンとなり搬送管２内の空気を吸引する。これにより、搬送管２内には気流αが発生し、気送子３は気流αに乗って搬送管２内を金庫Ｃ方向（図１ｂの矢印γ）に搬送されていく。
【００４１】
取出側ＯＵＴに至った気送子３は取出側センサＳ２を通過する。すると気送子３の通過信号が吸引装置１に送られて（信号ケーブルの図示は省略）吸引装置１はスイッチオフとなり、気流αは消失する。気流αは吸引装置１のスイッチオフ後も短時間続くので、気送子３は弱まる気流αと自身の慣性力によって排出端部２１まで運ばれるが、ここで気流αは完全に消失され、気送子３は排出端部２１から下方に自由落下する（矢印δ方向）。なお、気送子３が搬送管２内を搬送されている最中には吸引装置１が働いているので、搬送管２内の気流αは排出端部２１まで来ると排出端部２１の上方に連接された吸気管２２を通じて吸引装置１に吸引される。吸引装置１に吸引された気流αは、後述の取出室Ｃ２内の気流βと合流して、最終的に吸引装置１の排気孔１１から装置外に排気される。
【００４２】
排出端部２１から自由落下する気送子３は取出室Ｃ２の中央に立設された分配用突起６の笠部６２の上面に当たり、取出室Ｃ２の床面５に分配されるように落下する。この際、気送子３の端部に装着されている鉄製の吸着子３ｃが錘となるので、気送子３は本体３ａを下に、蓋体３ｂを上にして落下する。よって、鉄製の吸着子３ｃは磁性を有する床面５に吸着されるが、この際、吸着子３ｃの下面が平坦部ＦＬとなっているので、平坦部ＦＬが床面５に隙間なく当接し、気送子３は図１ｂに示すように床面５に直立状態で安定的に固定される。
【００４３】
ここで、万一図３ａに見るように水平状態で床面５に落下した気送子３があったとしても、吸着子３ｃは床面５の磁力によって牽引されるので、気送子３には方向Ｆ１にて示される力が働くことになる。この力によって気送子３には図３ｂに方向Ｆ２で示す回転モーメントが働く。ここで、気送子３の本体３ａの下部は半球状に形成されているので、方向Ｆ１にて示される力と方向Ｆ２で示す回転モーメントにより気送子３は起立し、さらには直立して（図３ｃ）、安定的に床５に固着される。このようにして金庫Ｃの取出室Ｃ２にある程度気送子３が貯留されれば、金庫Ｃの蓋Ｃ３（図１ａ参照）を開いて気送子３を取出せばよい。なお、床面５に働く磁力が電磁力によるものである場合には、蓋Ｃ３を開いた瞬間に磁力が消失されるようにして、気送子３を取出す際の床面５の吸着力をゼロとする構成にしても良い。このようにすれば取出しの際も円滑に作業が行える。
【００４４】
吸引装置１は投入側センサＳ１によってスイッチオンとなり、取出側センサＳ２によってスイッチオフとなるので、気送子３が排出端部２１に送られた段階では停止されており、従って気流αは消滅している。しかし、次の気送子３が搬送管２に投入されると再び吸引装置１はスイッチオンとなって気流αが発生する。
【００４５】
気流αは排出端部２１と吸気管２２の間にあるグリッドＧとフィルタＦを通過して吸気管２２から吸引装置１に吸引される（図１ｂ参照）。この際、塵芥や異物はフィルタＦにて濾過される。また、万一気送子３が吸気管２２方向に吸い込まれそうになったとしてもグリッドＧにてブロックされる。
【００４６】
この際、吸気管２２には複数の小孔２２ｈが穿設されているので拡径されたと同じ効果となり、結果として吸気管２２を通過する気流αの圧力は減殺される。したがって、万一気送子３が取出側センサＳ２を通過しても吸引装置１のスイッチが切れなかった場合あるいは切れるのが遅れた場合にも、気送子３がグリッドＧに強く衝突するという事態が防止される。
【００４７】
金庫Ｃの取出室Ｃ２の気流の流れを見ると、吸引装置１が働く度に取出室Ｃ２内には上向きの気流βが生じる。気流βが排出端部２１に集中すると、取出室Ｃ２内に万一不安定な気送子３があった場合、排出端部２１の下端と分配用突起６の笠部６２の間に咬みこまれてしまう事態となり、円滑な気送子３の自由落下が阻害される可能性もあるので、吸引管２２には複数の小孔２２ｈを穿設し、排出端部２１にも複数の小孔２１ｈを穿設し、気流βが小孔２１ｈ、２２ｈを通じても吸引装置１に吸引されるようにする。これにて気流βが分散されるので、万一浮き上がった気送子３があったとしても気送子３が排出端部２１に再び吸い込まれるのを防止することができる。
【００４８】
この場合、取出室Ｃ２内の不安定な気送子３が気流βに乗って排出端部２１の下端の位置を越えて上昇することも考えられるので、この上昇を防ぐために排出端部２１の周囲に有孔隔壁４を張設する。有孔隔壁４は複数の小孔４１が穿設されているので、気流βは小孔４１を通過して上昇するが、気送子３は有孔隔壁４により上昇を阻まれる。
【００４９】
この際、図４ｂに見るように、もし有孔隔壁４が突起４２ａ、４２ｂを有していないと、上昇する気送子３によって小孔４１が閉塞されてしまう可能性がある。また、突起の長さが短い場合（図４ｃの突起４２ｃ）にはやはり気送子３が小孔４１を殆ど閉塞する事態も生じる。あるいは、長い突起４２ａだけの状態の場合（図４ｄ）には、気送子３が突起４２ａと突起４２ａの間に咬みこまれてしまう可能性もある。
【００５０】
しかし、有孔隔壁４の下面に突設された突起は、図４ｅに見るように長い突起４２ａと短い突起４２ｂの混植となっているので、気送子３が咬みこまれてしまう事態は起こらない。あるいは、仮想線（二点鎖線）で示したような状態に気送子３が傾いていたとしても咬みこみは発生しない。このように、突起４２ａと４２ｂの作用によって小孔４１の閉塞や気送子３の咬みこみが起こらず、気流βだけが小孔４１を通じて安定的に上昇できるのである。
【産業上の利用可能性】
【００５１】
本考案の気送装置付金庫は、現金を安全確実に金庫に収容する装置の構成を具体的に開示するものである。しかも構成が簡単で複雑なシステムを必要とせず、それでいてセキュリティ面においては万全であるので、例えばコンビニエンスストアや外食店のような小規模な店舗にても充分に導入が可能である。コンビニエンスストアや外食店等深夜営業の小規模店舗において犯罪の多発する昨今の情勢を鑑みた場合、本考案の産業上の利用可能性は今後、益々大きなものがあると考えられるのである。
【符号の説明】
【００５２】
１            吸引装置
１１          排気孔
１１ａ        フィルタ
２            搬送管
２１          排出端部
２１ｈ        小孔
２２          吸気管
２２ｈ        小孔
３            気送子
３ａ          本体
３ｂ          蓋体
３ｃ          吸着子
３１          気送子
３１Ｓ        空間
３１ａ        本体
３１ｂ        蓋体
３１ｃ        吸着子
３２          気送子
３２Ｓ        空間
３２ａ        本体
３２ｂ        蓋体
３２ｃ        吸着子
３３          気送子
３３ａ        本体
３３ｂ        端部
３３ｃ        吸着子
３３ｄ        チャック
３３Ｓ        空間
３４          気送子
３４ａ        本体
３４ｂ        蓋体
３４ｃ        吸着子
３４Ｓ        空間
４            有孔隔壁
４１          小孔
４２          突起
４２ａ        突起
４２ｂ        突起
４２ｃ        突起
４３          大孔
５            床面
６            分配用突起
６１          軸部
６２          笠部
Ａ            気送装置付金庫
ＡＳ          気送装置
ＢＬ          蛇腹
Ｃ            金庫
Ｃ１          機械室
Ｃ２          取出室
Ｃａ          外壁
Ｃｂ          耐火壁
Ｃｃ          防音壁
Ｃｄ          内装ライニング
Ｃｅ          脚
Ｃｆ          隔壁
Ｆ            フィルタ
Ｆ１          方向
Ｆ２          方向
ＦＬ          平坦部
Ｆｈ          小孔
Ｇ            グリッド
Ｇｃ          桟
ＩＮ          投入側
ＯＵＴ        取出側
Ｓ１          投入側センサ
Ｓ２          取出側センサ
ｆ            床面
α            気流
β            気流
γ            方向
δ            方向
【図１】
0003167658.tif 000003
【図２】
0003167658.tif 000004
【図３】
0003167658.tif 000005
【図４】
0003167658.tif 000006
【図５】
0003167658.tif 000007